(57)【要約】【課題】冷蔵室の負荷変動の影響を受けにくく、安定して低温室内の温度を所定の温度に維持することができる冷蔵庫を提供することを目的とする。【解決手段】冷蔵室１４と冷凍室１８とを仕切る仕切板５と、冷凍室１８の後方に配置され冷蔵室１４および冷凍室１８に冷気を供給する冷却器２４と冷却ファン２５とが収納された冷却室２３と、冷蔵室１４の下部で天井板で区画され内部に容器４４を有し冷蔵室１４よりも低い温度帯に維持される低温室２１、２２と、冷却ファン２５により冷蔵室１４および低温室２１、２２に冷気を供給する冷蔵室ダクト２８と、を備え、冷蔵室１４から冷却室２３に戻る冷気戻り通路は、天井板に設けられた冷気戻り口から低温室内の容器４４外空間と仕切板に設けられた冷気戻り口を介して冷却室２３に戻される構成としたので、冷蔵室１４の負荷変動の影響を受けにくく、安定して低温室内の温度を所定の温度に維持することができる。【選択図】図２０
2017215119.tif 000002
【特許請求の範囲】
【請求項１】
冷蔵室と冷凍室とを仕切る仕切板と、前記冷凍室の後方に配置され前記冷蔵室および前記冷凍室に冷気を供給する冷却器と冷却ファンとが収納された冷却室と、前記冷蔵室の下部で天井板で区画され内部に容器を有し前記冷蔵室よりも低い温度帯に維持される低温室と、前記冷却ファンにより前記冷蔵室および前記低温室に冷気を供給する冷蔵室ダクトと、を備え、前記冷蔵室から前記冷却室に戻る冷気戻り通路は、前記天井板に設けられた冷気戻り口から前記低温室内の前記容器外空間と前記仕切板に設けられた冷気戻り口を介して前記冷却室に戻される構成とした冷蔵庫。
【請求項２】
前記天井板に設けられた冷気戻り口と前記仕切板に設けられた冷気戻り口とは上下方向でずらして配置された請求項１に記載の冷蔵庫。
【請求項３】
前記冷蔵室への冷気供給を制御する冷蔵室ダンパと冷蔵室温度センサと、前記低温室への冷気供給を制御する低温室ダンパと低温室温度センサと、を備え、前記冷蔵室温度センサと前記低温室温度センサは前記冷蔵室ダクトに配置された請求項１または２に記載の冷蔵庫。
【請求項４】
前記冷蔵室温度センサと前記低温室温度センサは前記冷蔵室ダクトの左右方向で対向して配置された請求項３に記載の冷蔵庫。
【発明の詳細な説明】
【技術分野】
【０００１】
本発明は冷蔵室を効率的に冷却する冷蔵庫に関するものである。
【背景技術】
【０００２】
従来、冷蔵室下部に容器と天板を備え、冷蔵室より低い温度帯の低温室を備えた冷蔵庫において、冷蔵室を冷却した空気は容器下部と冷蔵室底面との隙間、または容器と天板との隙間から容器内を流れた後、低温室背面に流れ冷蔵室下部の仕切体背面の戻り風路から冷却室に戻る構成としていた。（例えば、特許文献１参照）。
【先行技術文献】
【特許文献】
【０００３】
【特許文献１】特開２０１５−３８３９１号公報
【発明の概要】
【発明が解決しようとする課題】
【０００４】
しかしながら、上記従来の冷蔵庫では、冷蔵室を冷却した後の比較的温度の高い空気が低温室内を流れることにより低温室内の温度が上昇して、安定して低温室内の温度を所定の温度に維持することが難しいという課題を有している。
【０００５】
本発明は上記従来の課題を解決するものであり、冷蔵室の負荷変動の影響を受けにくく、安定して低温室内の温度を所定の温度に維持することができる冷蔵庫を提供することを目的とする。
【課題を解決するための手段】
【０００６】
上記従来の課題を解決するために、本発明の冷蔵庫は、冷蔵室と冷凍室とを仕切る仕切板と、前記冷凍室の後方に配置され前記冷蔵室および前記冷凍室に冷気を供給する冷却器と冷却ファンとが収納された冷却室と、前記冷蔵室の下部で天井板で区画され内部に容器を有し前記冷蔵室よりも低い温度帯に維持される低温室と、前記冷却ファンにより前記冷蔵室および前記低温室に冷気を供給する冷蔵室ダクトと、を備え、前記冷蔵室から前記冷却室に戻る冷気戻り通路は、前記天井板に設けられた冷気戻り口から前記低温室内の前記容器外空間と前記仕切板に設けられた冷気戻り口を介して前記冷却室に戻される構成としたものである。
【０００７】
これにより、冷蔵室を冷却した後の比較的温度の高い空気が低温室内の容器の外を流れることになり、冷蔵室からの戻り空気が容器内に流れることを低減でき、低温室内の温度を所定の温度に維持することができる。
【発明の効果】
【０００８】
本発明は、上記構成により、冷蔵室の負荷変動の影響を受けにくく、安定して低温室内の温度を所定の温度に維持することができる冷蔵庫を提供することができる。
【図面の簡単な説明】
【０００９】
【図１】本発明の実施の形態１における冷蔵庫の正面図
【図２】同冷蔵庫の内部を示す正面図
【図３】同冷蔵庫の断面図
【図４】同冷蔵庫の冷気流れを説明する説明図
【図５】同冷蔵庫の冷凍室を示す正面図
【図６】同冷蔵庫の冷却室を示す断面図
【図７】同冷蔵庫の野菜室ダクトと冷蔵室戻りダクトを示す断面図
【図８】同冷蔵庫の冷却室部分を示す分解斜視図
【図９】同冷蔵庫の冷却室部分を冷却室側から見た分解斜視図
【図１０】同冷蔵庫の冷却室形成板を一部残して冷却室を冷却室側から見た斜視図
【図１１】同冷蔵庫の冷却室形成板と野菜室ダクトとの関係を冷凍室側から見て示す正面図
【図１２】同冷蔵庫の冷却室形成板と野菜室ダクトとの関係を冷凍室側から見て示す斜視図
【図１３】同冷蔵庫の冷蔵室を示す斜視図
【図１４ａ】同冷蔵庫の冷蔵室を示す断面図
【図１４ｂ】図１４ａのＡ部と、Ｂ部と、Ｃ部の水平断面を模式的に示した図
【図１４ｃ】同冷蔵庫の冷蔵室ダクトの水平断面図
【図１４ｄ】同冷蔵庫の冷蔵室ダクトの吐出口を示す説明図
【図１５】同冷蔵庫の冷蔵室を示す要部拡大断面図
【図１６】同冷蔵庫の冷蔵室内部を示す正面図
【図１７】同冷蔵庫の冷蔵室内部の要部を示す拡大正面図
【図１８】同冷蔵庫の貯蔵室を示す分解斜視図
【図１９】同冷蔵庫の貯蔵室内におけるパーシャル室の後方部を背部から見た斜視図
【図２０】同冷蔵庫の貯蔵室内におけるパーシャル室の後方部を背部から見た拡大斜視図
【図２１】同冷蔵庫の貯蔵室内におけるパーシャル室の後方部を正面寄り背部から見た拡大斜視図
【図２２】同冷蔵庫の貯蔵室内におけるパーシャル室の後方部の脱臭ユニット装着部を示す拡大側面図
【図２３】同冷蔵庫の貯蔵室内におけるパーシャル室の後方部の脱臭ユニット装着部を示す拡大斜視図
【図２４】同冷蔵庫の冷却器を取り外して冷却室を背部から見た斜視図
【図２５】同冷蔵庫の冷却器を取り外して冷却室を背部から見た正面図
【図２６】同冷蔵庫の冷凍室の背面板を示す正面図
【図２７】同冷蔵庫の冷却室構成部品の分解斜視図
【図２８】同冷蔵庫の冷却室を前方ななめ情報から見た斜視図
【図２９】同冷蔵庫の冷却室の要部を示す拡大断面図
【図３０】同冷蔵庫の冷却室の要部を示す他の例の拡大断面図
【図３１】（ａ）同冷蔵庫の冷凍室ダンパを示す斜視図、（ｂ）同冷凍室ダンパの断面図
【発明を実施するための形態】
【００１０】
請求項１に記載の発明は、冷蔵室と冷凍室とを仕切る仕切板と、前記冷凍室の後方に配置され前記冷蔵室および前記冷凍室に冷気を供給する冷却器と冷却ファンとが収納された冷却室と、前記冷蔵室の下部で天井板で区画され内部に容器を有し前記冷蔵室よりも低い温度帯に維持される低温室と、前記冷却ファンにより前記冷蔵室および前記低温室に冷気を供給する冷蔵室ダクトと、を備え、前記冷蔵室から前記冷却室に戻る冷気戻り通路は、前記天井板に設けられた冷気戻り口から前記低温室内の前記容器外空間と前記仕切板に設けられた冷気戻り口を介して前記冷却室に戻される構成としたことにより、冷蔵室を冷却した後の比較的温度の高い空気が低温室内の容器の外を流れることになり、冷蔵室の負荷変動の影響を受けにくく、安定して低温室内の温度を所定の温度に維持することができる。
【００１１】
請求項２に記載の発明は、請求項１に記載の発明において、前記天井板に設けられた冷
気戻り口と前記仕切板に設けられた冷気戻り口とは上下方向でずらして配置されたことにより、冷蔵室から天井板に設けられた冷気戻り口に侵入したゴミ等が、仕切板に設けられた冷気戻り口に直接落下することがなく、ゴミ等による冷気戻り口への悪影響を低減でき、安定した冷蔵室の冷却能力を確保することができる。
【００１２】
請求項３に記載の発明は、請求項１または２に記載の発明において、前記冷蔵室への冷気供給を制御する冷蔵室ダンパと冷蔵室温度センサと、前記低温室への冷気供給を制御する低温室ダンパと低温室温度センサと、を備え、前記冷蔵室温度センサと前記低温室温度センサは前記冷蔵室ダクトに配置されたことにより、組立工程の簡素化を図ることができる。
【００１３】
請求項４に記載の発明は、請求項３に記載の発明において、前記冷蔵室温度センサと前記低温室温度センサは前記冷蔵室ダクトの左右方向で対向して配置されたことにより、冷蔵室からの戻り空気を検知して冷蔵室内の温度を制御しているので、低温室温度センサは冷蔵室からの戻り空気の影響を受けにくく、より安定して低温室内の温度を所定の温度に維持することができる。
【００１４】
以下、本発明の実施の形態について、図面を参照しながら説明する。なお、この実施の形態によって本発明が限定されるものではない。
【００１５】
（実施の形態１）
図１〜図４は冷蔵庫の全体構成を説明する図、図５〜図１２は冷却室から野菜室への冷気供給構成を説明する図、図１３〜図２３は冷蔵室構成を説明する図、図２４〜図３１は冷凍室から冷却室に跨る部分の構成を説明する図である。
【００１６】
＜１−１．冷蔵庫の全体構成＞
まず図１〜図４を用いて冷蔵庫の全体構成を説明する。
【００１７】
図１〜図４において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した回動式の扉７或いは引出し式の扉８、９、１０、１１で開閉自在としてある。
【００１８】
冷蔵庫本体１内に形成した貯蔵室は、最上部の冷蔵室１４と、冷蔵室１４の下に設けた温度帯切り替え可能な切替室１５と、切替室１５の横に設けた製氷室１６と、切替室１５および製氷室１６と最下部の野菜室１７との間に設けた冷凍室１８で構成している。そして、前記冷蔵室１４には複数の棚板２０が設けてあり、その下部には冷却温度帯の異なるパーシャル室２１とチルド室２２が上下二段に重ねて設けてある。
【００１９】
上記冷蔵室１４は、冷蔵保存するための貯蔵室で、凍らない程度の低い温度、具体的には、通常１〜５℃に設定され冷却される。また、冷蔵室内に設けたパーシャル室２１は微凍結保存に適した−２〜−３℃に設定され、チルド室２２は冷蔵室１４よりも低くパーシャル室２１よりは高めの１℃前後の温度に設定され冷却される。
【００２０】
野菜室１７は、冷蔵室１４と同等もしくは若干高く温度設定される貯蔵室で、具体的には、２〜７℃に設定され冷却される。この野菜室１７は野菜等の収納食品から発せられる水分により高湿度となるため、局所的に冷えすぎると結露することがある。そのため、比較的高い温度に設定することで冷却量を少なくし、局所的な冷えすぎによる結露発生を抑
制している。
【００２１】
冷凍室１８は、冷凍温度帯に設定される貯蔵室で、具体的には、通常−２２〜−１８℃に設定され冷却されるが、冷凍保存状態向上のため、例えば−３０℃や−２５℃などの低温に設定され冷却されることもある。
【００２２】
切替室１５は、庫内の温度が変更可能な貯蔵室であり、用途に応じて冷蔵温度帯から冷凍温度帯まで切り換えることができるようになっている。
【００２３】
一方、前記冷凍室１８の背面には冷却室２３が設けてあり、この冷却室２３には冷気を生成する冷却器２４と、冷気を前記各室に供給する冷却ファン２５とが設置してある。そして更に冷却器２４の下方にはガラス管ヒータ等で構成した除霜手段２６（以下、ガラス管ヒータと称す）が設けてある。
【００２４】
冷却器２４は、圧縮機２７と、コンデンサ（図示せず）と、放熱用の放熱パイプ（図示せず）と、キャピラリーチューブ（図示せず）とを環状に接続して冷凍サイクルを構成しており、圧縮機２７によって圧縮された冷媒の循環によって冷却を行う。
【００２５】
また、冷却ファン２５は冷却器２４の上方に設けてあり、その下流側に連なる冷蔵室ダクト２８、冷凍室ダクト２９、野菜室ダクト３０を介して冷蔵室１４、冷凍室１８、野菜室１７等に冷気を供給し、これら各室を冷却するようになっている。
【００２６】
以下、上記冷却室２３、冷蔵室１４、冷凍室１８、野菜室１７の各室及びその冷却の構成について説明していく。
【００２７】
＜１−２．冷却室と冷気供給構成＞
図３と図５〜図１２を用いて冷却室と冷気供給構成について説明する。
【００２８】
冷却室２３は冷凍室１８の背面にあって図６に示すよう冷却室形成板３１と内箱３とによって形成してあり、冷却室形成板３１の上部に冷却ファン２５を装着することにより冷却器２４上方に冷却ファン２５を位置させてある。また、冷却室形成板３１の前面側には冷凍室背面板３２を装着して冷却ファン２５の下流側を覆い冷却室２３との間に冷却ファン下流側と連通する冷凍室ダクト２９を形成している。
【００２９】
そして、上記冷却ファン２５の下流側には冷蔵室１４の冷蔵室ダクト２８と、野菜室１７の野菜室ダクト３０が、それぞれ異なる位置で別個に独立した形で接続してある。詳述すると、前記冷却ファン下流側の上部の上面は図４等に示すように冷蔵室１４と冷凍室１８を仕切る仕切板５に設けた第１冷気供給口３３を介して冷蔵室ダクト２８につながっており、冷却ファン下流側の上部の側方には図１０、図１１、図１２にも示すように第２冷気供給口３４を設けて野菜室ダクト３０が接続してある。すなわち、上記冷蔵室ダクト２８と野菜室ダクト３０は冷却室２３に対し、それぞれ異なる位置で別個に独立した形で接続してある。そして、冷却器２４で生成した冷気を冷却ファン２５によって前記第１冷気供給口３３と第２冷気供給口３４に別個に独立した形で供給し、冷蔵室ダクト２８と野菜室ダクト３０へと供給する。
【００３０】
なお、上記冷却器２４の下方には図６に示すように冷却器２４ガラス管ヒータ２６を覆う傘状断面のヒータカバー３５が設置してあり、冷却室２３の底面には除霜水を外部に排出する排水口３６が設けてある。
【００３１】
＜１−３．冷蔵室とその冷却構成＞
次に図３と図１３〜図２３を用いて冷蔵室とその冷却構成を説明する。
【００３２】
冷蔵室１４は、冷蔵庫本体１の最上部に位置していて図３、図１４に示すように複数の棚板２０を有しており、背面に前記した冷蔵室ダクト２８が設けてある。
【００３３】
冷蔵室ダクト２８は図１８に示すように発泡スチロールからなるダクト部材２８ａの冷蔵室側表面を樹脂製のダクトカバー２８ｂで覆って構成してあり、冷蔵室１４と冷凍室１８との間を仕切る仕切板５の第１冷気供給口３３を覆う如く冷蔵室背面に装着して冷却室２３と連通させてある。そして、上記第１冷気供給口３３には冷蔵室ダンパ３７を組み込み、この冷蔵室ダンパ３７の開閉によって冷却室２３から冷蔵室１４への冷気供給量を制御するようになっている。なお、この冷蔵室ダンパ３７はダンパ固定枠３８によって第１冷気供給口３３に固定してある。
【００３４】
上記冷蔵室ダンパ３７は冷蔵室１４への冷気供給量を制御する冷蔵室用ダンパ部３９とパーシャル室２１への冷気供給量を制御するパーシャル室用ダンパ部４０とを有する二連式ダンパで構成してあり、冷蔵ダンパ駆動用モータユニット４１内の冷蔵及びパーシャル用の１つのモータ（図示せず）によって駆動する構成となっている。
【００３５】
一方、上記冷蔵室１４の下部に設けたパーシャル室２１とチルド室２２のうち、上方に位置するチルド室２２は、図１４、図１５に示すように最下段の棚板となる天井板４３とその下方に位置するパーシャル室２１との間の冷蔵室横幅一杯に形成してあり、チルド室容器４４が出し入れ自在に設けてある。そして、上記チルド室２２の後方には冷蔵室ダクト２８の冷蔵室用ダンパ部３９下流側に連通する冷気入口２２ａが設けてあり、この冷気入口２２ａから冷気を取り込んで冷却するようになっている。
【００３６】
上記チルド室２２は図１５に示すように天井板４３の後部にスリット状の冷気戻り口（チルド側）４５を設けるとともに、チルド室容器４４の後方部に前記冷気戻り口（チルド側）４５を介して冷蔵室１４とつながる冷気戻し通路部（チルド側）４６が設けてある。更に、前記チルド室容器４４の前端部には図１４に示すようにチルド室扉兼把手部４７の下方との間に冷蔵室１４内とつながる開口部４８を設けて、冷蔵室１４内の冷気がチルド室容器４４から溢れ出るチルド室冷却後の冷気とともにチルド室容器４４外周の間隙（図示せず）を通って、前記冷気戻し通路部（チルド側）４６へと流れるように構成してある。
【００３７】
また、チルド室２２はそのチルド室容器４４の下方であるパーシャル室２１の天井板部材５０に温度調節用ヒータ４９を敷設し、下方に位置するパーシャル室２１からの冷輻射によりチルド室温度が設定温度より低くなると温度調節用ヒータ４９に通電して設定温度に維持するように構成してある。なお、上記温度調節用ヒータ４９はチルド室２２内の適所に設けたチルド室温度センサ（図示せず）によって制御する構成としてある。
【００３８】
一方、チルド室２２の下方に位置するパーシャル室２１は、冷蔵庫本体１の内箱内壁面と貯水タンク室形成板（図示せず）と前記チルド室２２の底面ともなる天井板部材５０とで貯水タンク室横に区画形成してあり、前面開口部分はパーシャル室扉５１で開閉自在としてある。そして、パーシャル室２１の内部にパーシャル室容器５２が出し入れ自在に設けてある。
【００３９】
上記パーシャル室２１を構成する天井板部材５０には発泡スチロール等からなる断熱材５３が組み込んであり、この断熱材５３に前記した冷蔵室ダクト２８のパーシャル室用ダンパ部４０下流側に連通するパーシャル冷気通路５４を形成してパーシャル室２１内に冷気を供給し冷却する構成としてある。
【００４０】
また、上記パーシャル室２１は、図１５及び図１９〜図２１に示すように前記チルド室２２と同様、その天井板部材５０の後部にスリット状の冷気戻り口（パーシャル側）５５を設けるとともに、パーシャル室容器５２の後方に空間部を設けて冷気戻り通路部（パーシャル側）５６が形成してあり、前記チルド室２２後方の冷気戻り通路部（チルド側）４６内の冷蔵室冷気とチルド室冷気が冷気戻り通路部（パーシャル側）５６へと流れるようにしてある。
【００４１】
そして更に、上記パーシャル室２１はその底面ともなる仕切板５の後部に冷気戻り通路部（パーシャル側）５６と連通する冷気合流戻り口５７を設け、この冷気合流戻り口５７に冷蔵室戻りダクト５８を接続して、前記冷蔵室１４、チルド室２２を冷却した冷気がパーシャル室容器５２から溢れ出るパーシャル室冷却冷気と合流して冷却室２３に戻るように構成してある。
【００４２】
すなわち、冷蔵室１４、チルド室２２、パーシャル室２１の冷気を冷却室２３に戻すためのダクト部を、前記チルド室２２とパーシャル室２１の後方空間を利用して形成した形としてある。
【００４３】
なお、上記冷気戻り口（チルド側）４５と冷気戻り口（パーシャル側）５５とは上下に対向する位置に設け、冷気戻り口（パーシャル側）５５と冷気合流戻り口５７は位置ずれした位置に設けてある。
【００４４】
また、上記冷気を冷却室２３へと戻す冷蔵室戻りダクト５８は図４や図２４、図２５等に示すように冷却室２３の側部（横）に設置し、その下端側部を冷却室２３の下部側面に開口させることにより冷却室２３に戻すように構成してある。この冷蔵室戻りダクト５８はその後面に設けた凹状溝５８ｂを内箱３の背面内壁面に圧接させて当該背面壁内面との間でダクト通路部を形成している。
【００４５】
更にまた、前記パーシャル室２１には上記冷気戻り通路部（パーシャル側）５６の冷気戻り口（パーシャル側）５５と冷気合流戻り口５７との間の部分に、図１６、図１７に示すように冷蔵室１４の温度を検出して冷蔵室用ダンパ部３９を制御する冷蔵室温度センサ５９が設けてある。そして、上記冷蔵室温度センサ５９と冷蔵室ダクト２８を挟んで反対側の対角部分にパーシャル室２１の温度を検知してパーシャル室用ダンパ部４０を制御するパーシャル室温度センサ６０が設けてある。
【００４６】
更に、前記冷気戻り通路部（パーシャル側）５６の冷気戻り口（パーシャル側）５５と冷気合流戻り口５７との間には図２２、図２３に示すように冷気の流れに沿う如く脱臭ユニット６１が着脱自在に設けてある。
【００４７】
なお、上記脱臭ユニット６１および冷蔵室温度センサ５９およびパーシャル室温度センサ６０は、何れも冷蔵室戻りダクト５８を構成するダクトカバー２８ｂの一部に設けた装着部２８ｂｂ（冷蔵室温度センサ５９およびパーシャル室温度センサ６０用の装着部は図示せず）に取付けて一体化してある。
【００４８】
また、図１４ｂは、図１４ａの冷蔵室ダクト２８における、Ａ部（冷蔵室ダンパ部）水平断面図と、Ｂ部（パーシャル室背面部）水平断面図と、Ｃ部（冷蔵室ダクト部）水平断面図とを模式的に示したものである。
【００４９】
図１４ｂにおいて、冷蔵室ダクト２８におけるダクト部材２８ａの長辺Ｗと短辺Ｄの比で表されるＷ／Ｄ（以下、アスペクト比と言う）は、Ａ部アスペクト比（＝Ｗ１／Ｄ１）
、Ｂ部アスペクト比（＝Ｗ２／Ｄ２）、Ｃ部アスペクト比（＝Ｗ３／Ｄ３）とすると、Ａ部アスペクト比＜Ｂ部アスペクト比＜Ｃ部アスペクト比の関係を有している。
【００５０】
また、図１４ｃは、冷蔵室ダクト２８の水平断面図、図１４ｄは、冷蔵室ダクト２８の吐出口を示す説明図である。
【００５１】
図１４ｃ、図１４ｄにおいて、ダクト部材２８ａの冷蔵室側表面を覆うダクトカバー２８ｂの左右両側部には左右に延出して一体形成された延出リブ２８ｃを備えている。
【００５２】
延出リブ２８ｃは奥面側に傾斜した傾斜面を備え、端部はさらに角度を大きくして奥側に延出している。延出リブ２８ｃはユーザーが冷蔵室を前方から見た時に側面吐出口２８ｄが直接見えない程度に延出している。
【００５３】
また、側面吐出口２８ｄの下面は冷気の流れに対して上方となる傾斜面を有している。
【００５４】
＜１−４．冷凍室とその冷却構成＞
次に図２、図３と図２４〜図３１を用いて冷凍室とその冷却構成を説明する。
【００５５】
冷凍室１８は冷蔵室１４の下方で、かつ冷却室２３の前方にあって、内部に下段容器６２ａとその上方に載置した上段容器６２ｂとからなる冷凍室容器６２が扉１１の引出し開閉によって出し入れ自在なるように設けてある。そして、既に述べた通り冷却室２３との間に冷凍室背面板３２を配置し、この冷凍室背面板３２と冷却室形成板３１との間に冷却室２３の冷却ファン下流側と連通する冷凍室ダクト２９を形成している。
【００５６】
冷凍室背面板３２には図２４等に示すように上下複数段に亘って冷気吹出し口６３が設けてあり、最上部の冷気吹出し口６３は製氷室１６および切替室１５に冷気を供給し、中段の冷気吹出し口６３は上記冷凍室容器６２の上段容器６２ｂに冷気を供給し、最下段の冷気吹出し口６３は下段容器６２ａに冷気を供給するようになっている。
【００５７】
また、上記冷凍室１８は図２４等に示すようにその冷凍室背面板３２の下部に前記冷却室２３の下部に連通する冷凍冷気戻り口６４が設けてある。この冷凍冷気戻り口６４は図２９に示すように冷凍室側口枠部６５と冷却室側口枠部６６とからなっていて、これらの枠は垂線に対し上部にいくほど後方、すなわち冷却室２３側に位置するように傾斜させてある。そして、上記冷凍冷気戻り口６４にはその冷凍室側口枠部６５にグリル６７を装着し、冷却室側口枠部６６には冷凍室ダンパ６８が設けてある。
【００５８】
冷凍室側口枠部６５に設けたグリル６７は、冷凍室１８から冷却室２３へと流れる冷気を整流するもので、その各グリル片６９は冷却室側端部が上方に位置するように傾斜させ、かつ、下方のグリル片６９になるほど前後長が長くなるようにして冷凍室１８内の冷凍室容器６２後面に沿う形としてある。
【００５９】
一方、冷却室側口枠部６６に設けた冷凍室ダンパ６８は、冷凍室１８に供給される冷気を開閉制御するもので、図３１に示すように耐熱性樹脂、例えばポリフェニレンサルファイド樹脂（ＰＰＳ樹脂）で形成したダンパ枠体７０に同様の耐熱性樹脂で形成した複数のフラップ７１、この例では三つのフラップ７１を設けて構成してある。そして、上記冷凍室ダンパ６８は各複数のフラップ７１の冷却室側端部を軸支して図２９に示すように冷凍室１８とは反対の冷却室２３側に開くように構成してあり、ダンパ枠体７０の一端部に固定した冷凍ダンパ駆動用モータユニット７２によって駆動する構成としてある。なお、図３１において複数のフラップ７１は実線の図番付与線のものが閉じたとき、破線図番付与線のものが開いた時を示している。
【００６０】
また、上記冷凍室ダンパ６８は図２５に示すように冷却室側口枠部６６に設けた爪片７３に冷凍ダンパ駆動用モータユニット７２を固定した状態のダンパ枠体７０を弾着係合させることにより冷却室形成板３１に装着しユニット化してあり、冷却室側口枠部６６の傾斜に沿って冷蔵室ダンパ３７の冷却室側が冷凍室側より下方に位置するように傾斜させて設けてある。
【００６１】
さらに、冷凍室ダンパ６８は図２９から理解できるように各複数のフラップ７１に沿って冷却室２３へと流れる冷気が冷却器２４の下端縁に流れるように設けてある。この例では冷凍室ダンパ６８はその上部（ダンパ枠体７０の上片部分）が冷却器２４の下端縁より上方に位置し、かつ、その下部（ダンパ枠体７０の下辺部分）が冷却器２４の下端より下方に位置する如く設けることによって冷気を冷却器２４の下端縁より下方部分に流れるようにしてある。
【００６２】
さらに加えて、上記冷凍室ダンパ６８はその下部（ダンパ枠体７０の下辺部分）がガラス管ヒータ２６より上方に位置するように設け、除霜時にガラス管ヒータ２６で熱せられた暖冷気が確実に触れるように設定してある。
【００６３】
その一方で、冷凍室ダンパ６８を支持している冷却室側口枠部６６の下辺６６ａは二重壁とし、その下面を円弧状にして冷却室２３に突き出す形（冷却室２３の底面２３ａよりガラス管ヒータ２６側に突き出す形）としてガラス管ヒータ２６からの輻射熱が直接照射するのを防止する構成とし、かつ、更に二重壁部分の間隙部分６６ｂは冷凍室１８に面して開放させて冷凍室冷気で冷却し過度に昇温するのを抑制する構成としてある。
【００６４】
更にまた、前記冷凍室ダンパ６８は図２５に示すようにその冷凍ダンパ駆動用モータユニット７２がガラス管ヒータ２６の長手方向において、ガラス管ヒータ２６のヒータ部２６ａと対向しないようヒータ部２６ａから外方にずれた場所に位置するように配置してある。そしてこの例では上記冷凍ダンパ駆動用モータユニット７２を冷却室２３横の冷蔵室戻りダクト５８側に位置させることによって、冷凍ダンパ駆動用モータユニット７２がヒータ部２６ａの外方に位置する形をとりつつ、冷凍室ダンパ６８の複数のフラップ７１部分が冷却器２４の中心線寄り部分に位置するようにしてある。
【００６５】
なお、冷凍室ダンパ６８は冷凍冷気戻り口６４のみに設けられており、冷却室２３から冷気吹出し口６３に至る冷気吐出通路にはダンパを備えず、冷却室２３と冷凍室１８とは連通状態に保たれている。
【００６６】
＜１−５．野菜室とその冷却構成＞
次に図３、図４と図８〜図１２を用いて野菜室とその冷却構成について説明する。
【００６７】
野菜室１７は、図３に示すように冷凍室１８下方の冷蔵庫本体１最下部に位置していて、冷凍室１８と同様野菜室容器１７ａが扉１０の引出し開閉によって出し入れ自在なるように設けてある。この野菜室１７に冷気を供給する野菜室ダクト３０は、図８、図９に示すように冷却室２３横の冷蔵室戻りダクト５８前面に重合させて配置してあり、その上部は図４及び図１０に示すように前記冷却室２３に設けた第２冷気供給口３４に接続してある。
【００６８】
この第２冷気供給口３４は既述した通り冷蔵室１４への冷気供給口となる第１冷気供給口３３とは別個に独立した形で形成してある。すなわち、第２冷気供給口３４は冷却室２３の上方に位置する冷蔵室１４と冷凍室１８とを仕切る仕切板５より下方、即ち冷凍室１８の背面投影面積内であって、前記冷却ファン２５と略同じ高さ位置の冷却ファン下流側
部分に設けてある。そして、この第２冷気供給口３４に接続した野菜室ダクト３０の下端は野菜室１７の上部に開口していて、野菜室１７に冷気を供給するようになっている。
【００６９】
上記野菜室ダクト３０はその上端部の側部を開口７４させて第２冷気供給口３４に突き合わせ接続してあり、この接続部近傍、具体的には冷却ファン２５と略同じ高さ位置範囲に野菜室ダンパ７５を組み込んである。
【００７０】
またこの野菜室ダンパ７５は図８に示すように冷蔵室戻りダクト５８の前面に形成した野菜室ダクト通路部となる凹状溝５８ｂに嵌め込み、この状態の冷蔵室戻りダクト５８の凹状溝５８ｂ前面に野菜室ダクト３０を嵌め込み装着することにより冷蔵室戻りダクト５８と野菜室ダクト３０との間で挟持固定してある。そして、上記野菜室ダクト３０および冷蔵室戻りダクト５８は発泡スチロール等の弾性力を有する材料で形成してあり、その弾性力によって両者間の気密性を確保すると同時に野菜室ダンパ７５の気密性も確保する構成としてある。
【００７１】
なお、野菜室ダンパ７５は野菜ダンパ駆動用モータユニット７６によって駆動されるダンパ片７５ａが野菜室ダクト３０を流れる冷気と逆の方向、この例では上向きに開くように構成してある。これは前記した冷蔵室ダクト２８のダンパ開き方向とは反対の方向である。
【００７２】
また、野菜室１７を冷却した後の冷気はその天井面に設けた野菜室戻りダクト（図示せず）を介して冷却室２３に戻すようになっている。
【００７３】
以上のように構成した冷蔵庫について、以下、冷気の流れを中心にその動作と作用効果を説明する。
【００７４】
まず、本発明の特徴部分である冷蔵室と野菜室の冷却について説明する。
【００７５】
冷蔵庫は、冷蔵室１４の温度が設定温度より高くなると、圧縮機２７と冷却ファン２５を駆動し、冷却器２４で生成された冷気を、冷却ファン２５の下流側に供給する。
【００７６】
冷却ファン２５の下流側に供給された冷気は、冷却ファン下流側の上部上面に開口する第１冷気供給口３３より冷蔵室ダンパ３７を介して冷蔵室ダクト２８に供給され、冷蔵室ダクト２８の左右両側面部に開口させた冷気吹出し口（図示せず）から冷蔵室１４に吹き出し冷蔵室１４内を冷却する。
【００７７】
また、上記冷却ファン２５の下流側に供給された冷気は、冷却ファン下流側の上部側面に開口する第２冷気供給口３４より野菜室ダンパ７５を介して冷蔵室ダクト２８にも供給され、冷蔵室ダクト２８の下端開口から野菜室１７に供給され野菜室１７内を冷却する。
【００７８】
そして、冷蔵室より冷却温度が高く設定されている野菜室１７の温度が設定温度になると野菜室ダンパ７５が閉じ、野菜室１７への冷気供給を停止し野菜室を設定温度に保つ。
【００７９】
この時、この冷蔵庫では、上記野菜室１７に冷気を供給する第２冷気供給口３４と冷蔵室１４に冷気を供給する第１冷気供給口３３とを、冷却室２３に対し別個に独立して設けて、冷却室２３から直接各ダクトへと冷気が独立して供給されるようにしてあるから、野菜室ダンパ７５が閉じても冷蔵室ダクト２８へと供給される冷気量は変化せず、野菜室ダンパ７５が開いているときと同じ量が供給されることになる。
【００８０】
したがって、冷蔵室１４の冷却は野菜室１７に冷気を供給しているときと同じレベルで
行うことができ、野菜室ダンパ７５の開閉に影響されることなく安定的に行うことができる。
【００８１】
なお、この実施の形態では、上記第１冷気供給口３３は冷却ファン下流側の上部上面、第２冷気供給口３４は冷却ファン下流側の上部側面、というように、異なる面に開口させることによって、それぞれ別個に独立して冷却室２３に開口するように構成したが、同じ面、例えば冷却ファン下流側の上部上面に第１冷気供給口３３と第２冷気供給口３４を独立させて設けてもよく、この場合は互いの空気供給口に供給される冷気が他方のダンパの開閉によって影響されない程度に離しておけばよい。
【００８２】
また、上記野菜室ダクト３０は冷却室２３の冷却ファン下流側に直接接続して冷却室２３の前方に位置する冷凍室１８の背面投影面積範囲内で冷却室に接続した形としてあるから、野菜室ダクト３０は冷却室２３上方の冷蔵室１４と冷凍室１８との間を仕切る仕切板５部分を貫通経由することがなくなってその分だけダクト長さを短く、かつ、通路抵抗を少なくすることができる。
【００８３】
その結果、野菜室ダクト３０や冷蔵室ダクト２８等を介して循環させる冷蔵庫全体の冷気循環量を増加、すなわち、冷却ファン２５によって循環させる冷蔵庫全体の冷気循環量を増加することができる。したがって冷気循環量が増加した分だけ冷却性能を向上させることができる。
【００８４】
また、上記野菜室ダンパ７５は冷却室２３の冷却ファン２５とオーバ―ラップする高さ位置に設けてあるから、前記した冷却性能向上効果を生かしつつ動作不良を防止して冷蔵庫の信頼性を確保することができる。
【００８５】
すなわち、野菜室１７は比較的高い温度に設定され湿度も高い状態となっているため、野菜室ダンパ７５が閉じて冷気循環が停止している時、この湿度の高い暖冷気が野菜室１７内から野菜室ダクト３０内へと逆流する場合がある。この湿度の高い暖冷気が野菜室ダンパ７５に触れると湿気が結露し、この結露した結露水が野菜室１７の冷却再開時、野菜室１７へと供給される冷気によって氷結し野菜室ダンパ７５が開閉不良となる場合がある。
【００８６】
しかしながら、この冷蔵庫では野菜室ダンパ７５を冷却ファン２５とオーバ―ラップする高さ位置に設けてあるあるから、その分野菜室１７から野菜室ダンパ７５までの距離を取って冷却器２４の高さ寸法分だけ上方へと離すことができ、冷気循環停止時に野菜室１７内の湿度の高い暖冷気が野菜室ダクト３０内に上昇して野菜室ダンパ７５に達しこれが結露するのを抑制することができる。
【００８７】
したがって、野菜室１７への冷気循環再開時に野菜室ダンパ７５が氷結して動作不良を起こすのを防止でき、信頼性を確保することができる。
【００８８】
つまり、この実施の形態のように、野菜室ダクト３０は冷却室２３前方に位置する冷凍室１８の背面投影面積範囲内で冷却室２３に接続し、かつ、野菜室ダンパ７５は冷却ファン２５とオーバ―ラップする高さ位置に組み込むことによって、冷却性能を向上させつつ野菜室ダンパ７５の動作不良を抑制して信頼性を確保することができる。
【００８９】
また、前記野菜室ダンパ７５は上記野菜室ダクト３０に設けてあるから、野菜室ダクト３０とは別の場所、例えば従来のように冷蔵室１４と冷凍室１８との間を仕切る仕切板５に別途野菜室ダンパを組み込むような場合に比べ野菜室ダンパ７５の組み込みが容易になり、生産性が大幅に向上する。
【００９０】
すなわち、この野菜室ダンパ７５は冷蔵庫本体１外で別途野菜室ダクト３０に組み込んでおいてこの野菜室ダクト３０を冷却室２３の横に組み込むだけで冷蔵庫本体１への組み込みができ、容易に冷蔵庫本体１へ組み込むことができる。しかも、冷却室２３前面の冷凍室背面板３２を着脱するだけで野菜室ダクト３０ごと着脱することができるので、メンテナンスも容易になり、利便性も向上する。
【００９１】
更にこの実施の形態では、上記野菜室ダクト３０は冷蔵室１４から冷却室２３への冷蔵室戻りダクト５８に重合配置し、上記野菜室ダクト３０と冷蔵室戻りダクト５８は発泡スチロール等の弾性を有する材料で形成して、当該野菜室ダクト３０と冷蔵室戻りダクト５８とで野菜室ダンパ７５を挟持した構成としてあるから、生産性が更に向上する利点がある。
【００９２】
詳述すると、野菜室ダンパ７５は野菜室ダクト３０と冷蔵室戻りダクト５８とで挟持しているから、まず冷蔵庫本体１外で野菜室ダクト３０と冷蔵室戻りダクト５８とを組み付けて野菜室ダンパ７５を組み込んでおき、この野菜室ダンパ７５を組み込んだ野菜室ダクト３０と冷蔵室戻りダクト５８とのセット物を冷却室２３の横に組み込むだけで野菜室ダクト３０の冷蔵庫本体１への組み込みができ、生産性が向上するのである。
【００９３】
しかも、上記野菜室ダクト３０および冷蔵室戻りダクト５８は何れも発泡スチロールで形成していてこれが弾性力を有するので、この野菜室ダクト３０及び冷蔵室戻りダクト５８が持つ弾性力によってシール部材等を用いることなく野菜室ダンパ７５を気密状態で組み込むことができる。したがって、従来のように野菜室ダンパを仕切板に組み込む場合のように別途気密性確保のためのシール部材等を用いる必要がなくなり、構成の簡素化と工程の短縮が可能となり、更なる生産性の向上を実現することができる。
【００９４】
加えて上記野菜室ダンパ７５は野菜室ダクト３０と冷蔵室戻りダクト５８とによって弾性支持されることになるので、開閉動作時等に生じがちな微振動による騒音発生を抑制することができ、静穏性の高い冷蔵庫とすることができる。
【００９５】
次に冷蔵室の冷却及び冷気戻り動作について説明する。
【００９６】
冷蔵室１４は既述した通り冷蔵室ダクト２８を介して冷気が供給され冷却される。この時、前記冷蔵室ダクト２８に供給された冷気の一部が冷蔵室１４下部に設けたパーシャル室２１とチルド室２２にも供給され各室が冷却される。
【００９７】
上記各室の冷却において、前記冷蔵室１４は冷蔵室温度センサ５９からの出力に基づき動作する冷蔵室用ダンパ部３９の開閉によって制御され、設定温度に維持される。
【００９８】
また、チルド室２２は冷蔵室１４とともに前記冷蔵室用ダンパ部３９の開閉によって冷却が制御され、下方に位置するパーシャル室２１からの冷輻射によって冷蔵室１４よりは低めの温度に維持される。
【００９９】
この時、チルド室２２はパーシャル室２１からの冷輻射が強くて設定温度を下回る、すなわち冷えすぎ状態となることがあるが、このような場合にはチルド室温度センサ（図示せず）からの出力に基づきチルド室底面に敷設した温度調節用ヒータ４９が発熱しチルド室２２を設定温度に維持する。
【０１００】
更に、パーシャル室２１はパーシャル室温度センサ６０からの出力に基づき動作するパーシャル室用ダンパ部４０の開閉によって冷却が制御され、設定温度に維持される。
【０１０１】
このようにこの冷蔵庫は冷蔵室１４の下部に設けたチルド室２２とパーシャル室２１をそれぞれ異なる温度帯で冷却制御することができ、使い勝手が向上する。
【０１０２】
しかも、この冷蔵庫では前記したように野菜室１７の冷却を制御すべくその野菜室ダンパ７５を開閉しても冷蔵室１４に供給される冷気量が変化せず一定の安定したものとなるので、高い制御精度を必要とするチルド室２２やパーシャル室２１の温度精度を要望通り高いものとすることができ、これによって各室での食材の保存品質を高めることができる。
【０１０３】
なお、この実施の形態ではチルド室２２とパーシャル室２１の二室を設けたものを例示したが、これはいずれか一室のみであってもよいものである。
【０１０４】
また、冷蔵室ダクト２８におけるダクト部材２８ａの長辺Ｗと短辺Ｄの比で表されるＷ／Ｄ（以下、アスペクト比と言う）は、Ａ部アスペクト比（＝Ｗ１／Ｄ１）、Ｂ部アスペクト比（＝Ｗ２／Ｄ２）、Ｃ部アスペクト比（＝Ｗ３／Ｄ３）とすると、Ａ部アスペクト比＜Ｂ部アスペクト比＜Ｃ部アスペクト比の関係を有しているので、冷蔵室ダクトのアスペクト比を適切に設定できるため、実効内容積を大きくでき、冷蔵室ダクトの意匠性を損なうことなく冷却性能を確保することができる。
【０１０５】
また、ダクト部材２８ａの冷蔵室側表面を覆うダクトカバー２８ｂの左右両側部には左右に延出して一体形成された延出リブ２８ｃを備えているので、前方から直接、冷蔵室ダクトの前面側部の側面吐出口２８ｄが見えず、冷蔵室内の意匠性を高めることができる。
【０１０６】
また、側面吐出口２８ｄの下面は冷気の流れに対して上方となる傾斜面を有しているので、下方から上方へ流れる冷気の風路抵抗を低減することができ、さらに冷蔵室の冷却性能を高めることができる。
【０１０７】
次に上記冷蔵室１４、チルド室２２、パーシャル室２１を冷却した後の冷気の冷却室２３への戻り動作について説明する。
【０１０８】
冷蔵室１４を冷却した冷気は、まずチルド室２２天井面後方の冷気戻り口（チルド側）４５およびチルド室扉兼把手部４７下方の開口部４８とチルド室容器４４外周部の間隙を介してチルド室２２後方の冷気戻り通路部（チルド側）４６へと流れる。
【０１０９】
チルド室２２後方の冷気戻り通路部（チルド側）４６へと流れた冷気は、パーシャル室２１の天井板部材５０に設けた冷気戻り口（パーシャル側）５５よりパーシャル室２１後方の冷気戻り通路部（パーシャル側）５６へと流れる。
【０１１０】
そして、パーシャル室２１後方の冷気戻り通路部（パーシャル側）５６へと流れた冷気は、パーシャル室２１の底面となる仕切板５に設けた冷気合流戻り口５７より冷蔵室戻りダクト５８を介して冷却室２３へと戻る。
【０１１１】
この時、チルド室２２を冷却した冷気はチルド室容器４４から溢れ出てチルド室２２内の冷気戻り通路部（チルド側）４６で前記冷蔵室１４からの冷気と合流し、パーシャル室２１の天井板部材５０に設けた冷蔵冷気戻り口（パーシャル側）５５よりパーシャル室２１後方の冷気戻り通路部（パーシャル側）５６を通り、冷気合流戻り口５７より冷蔵室戻りダクト５８を介して冷却室２３へと戻る。
【０１１２】
また、パーシャル室２１の冷気はパーシャル室容器５２から溢れ出てパーシャル室２１
後方の冷気戻り通路部（パーシャル側）５６へと流れ、前記冷蔵室１４およびチルド室２２からの冷気と合流して冷気合流戻り口５７より冷蔵室戻りダクト５８を介して冷却室２３へと戻る。
【０１１３】
このようにこの冷蔵庫は、冷蔵室１４内のチルド室２２およびパーシャル室２１の後方に設けた冷気戻り通路部（チルド側）４６及び冷気戻り通路部（パーシャル側）５６と冷気戻り口（チルド側）４５および冷気戻り口（パーシャル側）５５を介して冷蔵室１４の冷気及びチルド室２２とパーシャル室２１の各冷気を冷却室２３に戻すことができる。したがって、これら各室の冷気を冷却室２３へと戻すダクト部を冷蔵室ダクト２８に沿って冷蔵室１４内に別途設ける必要がなくなる。よってその分冷蔵室１４の内容積を増加させることができ、より多くの食材を冷却保存できるようになる。
【０１１４】
また、上記冷蔵室１４からチルド室２２を経由して冷気合流戻り口５７へと流れる冷気戻り通路部（パーシャル側）５６内の冷気の主流は、冷気戻り口（パーシャル側）５５と冷気合流戻り口５７とを結ぶ線上となる。この冷気はチルド室冷気及びパーシャル室冷気を含むがその大部分は冷蔵室冷気であり、この冷蔵庫では上記主流冷気が流れる前記冷気戻り口（パーシャル側）５５と冷気合流戻り口５７との間に冷蔵室温度センサ５９を設けているので、冷蔵室１４の温度を正確に検出することができる。したがって、冷蔵室１４の温度を精度良く設定温度に制御することができる。
【０１１５】
また、パーシャル室温度センサ６０は前記パーシャル室２１内の冷気戻り通路部（パーシャル側）５６の冷気流れが主流となる冷気戻り口（パーシャル側）５５と冷気合流戻り口５７との線上以外の部分、この例では冷蔵室温度センサ５９とは冷蔵室ダクト２８を挟んで反対側の対角部分に設けてあるので、パーシャル室２１の温度も正確に検出し、精度よく制御することができる。すなわち、上記冷蔵室温度センサ５９と冷蔵室ダクト２８を挟んで反対側の対角部分は冷蔵室冷気が少なくその大部分はパーシャル室２１内の冷気であってこれが漂っている形となっているので、パーシャル室２１内の温度も正確に検出でき、精度の高い温度制御ができるのである。
【０１１６】
一方、チルド室２２は既述した通りパーシャル室２１からの冷輻射を受けて冷蔵室温度よりも低めの温度に冷却されているが、パーシャル室２１の冷却温度を変更するとその影響を受けてチルド室２２の温度が変化しがちである。
【０１１７】
しかしながらこの冷蔵庫では、チルド室温度センサからの出力に基づきチルド室２２底面の温度調節用ヒータ４９をオン／オフさせて設定温度に制御することができ、このチルド室２２の温度制御も精度よく行うことができる。
【０１１８】
このチルド室２２の温度制御は前記冷蔵室１４やパーシャル室２１と同様にダンパを設けて冷気供給を開閉することによって行うようにすることもできるが、この場合はダンパ設置スペースを必要として大型化し冷蔵室容積を減じてしまう。しかしながらこの実施の形態のようにヒータ方式とすればダンパを設けるためのスペースや通路構成を必要とせず簡単かつ冷蔵室容積を減じることなくチルド室温度の制御が可能となり、効果的である。
【０１１９】
また、上記冷蔵室温度センサ５９やパーシャル室温度センサ６０は冷蔵室ダクト２８のダクトカバー２８ｂに取付けてあるから、ダクトカバー２８ｂの冷蔵室内への装着によって所定位置に組み込むことができる。したがって、ダクトカバー２８ｂと各センサとを別々に組み込む場合に比べその作業性は大幅に向上し、生産性を高めることができる。
【０１２０】
また、上記ダクトカバー２８ｂには脱臭ユニット６１も装着してあるから、この脱臭ユニット６１の組み込みも容易になり、生産性をさらに向上させることができる。そして、
上記脱臭ユニット６１を設けていることにより冷蔵室内の食材から移った冷気中の臭気を除去することができ、衛生的な冷蔵庫とすることができる。
【０１２１】
さらに、前記冷蔵室１４内での冷気戻り通路を構成する冷気戻り口（チルド側）４５、冷気戻り口（パーシャル側）５５と冷気合流戻り口５７とは位置ずれさせて設けているので、冷気戻り口（チルド側）４５或いは冷気戻り口（パーシャル側）５５から冷気戻り口（チルド側）４５を介して食材等の屑が落下するようなことがあっても、これが冷気合流戻り口５７上に落ちてこれを詰まらせたり開口面積を減じたりするのを防止でき、長期間に亘って良好な冷気戻り性能を維持することができる。
【０１２２】
最後に冷凍室の冷却及び冷気戻り動作について説明する。
【０１２３】
冷凍室１８は冷却ファン下流側からの冷気が冷凍室背面板３２の冷気吹出し口６３から供給され冷却される。冷気吹出し口６３のうち最上段左側の冷気吹出し口６３からの冷気は製氷室１６に供給され、最上段右側の冷気吹出し口６３からの冷気は切替室１５に供給され、各室を冷却する。そして、上記冷凍室１８および製氷室１６および切替室１５を冷却した冷気は冷凍室１８の下部に設けた冷凍冷気戻り口６４から冷却室２３へと戻る。
【０１２４】
ここで、この冷蔵庫は、上記冷凍室１８の冷凍冷気戻り口６４に冷凍室ダンパ６８を設けているので、冷凍室１８へ供給される冷気を開閉制御することができ、冷凍室１８が設定温度になっているのにもかかわらず冷蔵室１４温度が高くて圧縮機２７および冷却ファン２５が駆動し冷気が冷凍室１８へ供給されて過度に冷却されるのを防止することができ、良好な冷凍保存を実現することができる。
【０１２５】
そしてこの冷蔵庫では、特に上記冷凍室ダンパ６８は冷凍室１８の冷気吹出し口６３側ではなく冷凍室下部の冷凍冷気戻り口６４側に設けてあるので、構成の簡素化を図りつつ安定したダンパ動作を得ることができ、冷凍室１８の温度制御精度を向上させ信頼性を高めることができる。
【０１２６】
すなわち、冷凍室１８は冷却室２３の前面に隣り合わせに設けられていて、その上部に設けた冷気吹出し口６３が冷却室２３の冷却ファン下流側と連通している。そのため、冷却器２４の除霜運転時、除霜した後の高湿の暖冷気がそのドラフトで冷却室２３を上昇して冷気吹出し口６３まで達する。したがって、この冷気吹出し口６３側に冷凍室ダンパ６８を設けていると、前記高温高湿の暖冷気が冷凍室ダンパ６８に触れて結露し、除霜運転終了後の冷却運転再開時に結氷して動作不良を起こす恐れがある。そのため、この結氷を防止するために冷凍室ダンパ６８に結氷防止専用のヒータを設けなくてはならなく構成が複雑化する。
【０１２７】
しかしながら、この実施の形態のように、冷凍室ダンパ６８を冷却室下部の冷凍冷気戻り口６４に設けておけば、除霜時に発生する高湿の暖冷気はその大部分がドラフトで冷凍冷気戻り口６４より上方で発生する形となってそのまま上昇するので、冷凍室ダンパ６８に触れる暖冷気はごく少量かつ湿度も少ないものとなってそれが結露して生じる結氷も軽微なものとなる。しかもこの結氷は除霜のためのガラス管ヒータ２６による余熱で防止することができる。したがって、冷凍室ダンパ６８の動作は安定したものとすることができ、しかも除霜用のガラス管ヒータ２６を利用しているので除霜専用のヒータ等を必要とせず構成も簡素なものとすることができる。つまり、温度制御精度を向上させると同時に信頼性を向上させることができるのである。
【０１２８】
また、上記冷凍室ダンパ６８は複数のフラップ７１の組み合わせで構成しているので、各複数のフラップ７１が開いたときの前後幅寸法は一枚ダンパで構成した場合に比べ大幅
に小さくすることができる。したがって、冷凍室ダンパ６８自体をコンパクト化できると同時に、これを設けるスペースも大幅に縮小して、その分冷凍室１８内の容積を増加させることができる。
【０１２９】
加えて、上記冷凍室ダンパ６８の各複数のフラップ７１は冷却室２３側に向かって開くように設けてあるから、この点からも冷凍室１８内の容積を増加させることができる。すなわち、前記各複数のフラップ７１を冷凍室１８側に向かって開くようにすると、前記各複数のフラップ７１が冷凍室１８側に突出する形となってその分冷凍室容器６２を前方に位置させなければならなくなり、冷凍室容器６２の容積、つまり冷凍室１８の容積が少なくせざるを得なくなるが、この実施の形態のようにすればこのようなことは解消でき、冷凍室容積を増加させることができるのである。
【０１３０】
また、冷凍室ダンパ６８を装着した冷凍冷気戻り口６４の冷却室側口枠部６６を垂線に対し上部にいくほど後方、すなわち冷却室２３側に位置するように傾斜させて、当該冷却室側口枠部６６に装着した冷蔵室ダンパ３７の冷却室側が冷凍室側に対し下方に位置する如く傾斜させてあるから、冷却器２４の除霜運転時に冷却室２３内に生じた暖冷気が触れてこれが結露するようなことがあっても、この結露水は冷却室２３側に流下し、排水口３６より外部へ排水される。したがって、上記結露水が冷凍室１８側に流下し、冷凍室１８内で氷結し氷塊となって障害を引き起こすようなことを防止できる。
【０１３１】
なお、通常この除霜運転時には冷凍室ダンパ６８を閉じており、冷却室２３内の暖冷気が冷凍室１８内に入り込まないようにしてある。
【０１３２】
また、上記冷凍室ダンパ６８は冷却室２３下部のガラス管ヒータ２６と近接しているため除霜運転時に温度上昇することになるが、この冷凍室ダンパ６８を構成するダンパ枠体７０ならびに複数のフラップ７１等は耐熱性の材料で形成してあるから、熱変形等を防止でき、長期間に亘って良好なダンパ作用を確保することができる。
【０１３３】
特にこの実施の形態では、冷凍室ダンパ６８はその下部（ダンパ枠体７０の下辺部分）をガラス管ヒータ２６の真横ではなくそれよりも上方に位置するように設けてあるから、その分ガラス管ヒータ２６から離れる形となって輻射熱線による直接的な熱影響を低減することができ、温度上昇を抑制することができる。その一方でガラス管ヒータ２６により熱せられた湿気の少ない暖冷気は確実に冷凍室ダンパ６８に触れ、冷凍室ダンパ６８に着霜があったとしてもこれを確実に除霜し、ダンパ動作を良好なものとすることができる。
【０１３４】
加えて更に、上記ガラス管ヒータ２６との距離が短くなる冷凍室ダンパ６８の下部を支持する冷却室側口枠部６６の下辺６６ａは、冷却室２３に突き出す形（冷却室２３の底面２３ａよりガラス管ヒータ２６側に突き出す形）としてあるから、ガラス管ヒータ２６からの輻射熱線が直接冷凍室ダンパ６８のダンパ枠下辺に照射するのを防止でき、極端な温度上昇を防止することができる。しかも、上記冷却室側口枠部６６の下辺６６ａは二重壁としてその間隙部分６６ｂは冷凍室１８に面して開放した形としてあるから、冷凍室１８内の冷気による冷却作用が加わって極端な昇温を防止でき、良好な動作を保証することができる。
【０１３５】
なお、上記ガラス管ヒータ２６からの輻射熱線の照射による直接的な熱影響は、図３０に示すようにガラス管ヒータ２６上方のヒータカバー３５に遮熱板７７を設ける、或いはヒータカバー３５の冷凍室ダンパ６８側を延長させて遮熱板部とすることによって遮断することができ、更に確実に冷凍室ダンパ６８の温度上昇を抑制することができる。
【０１３６】
また前記冷凍室ダンパ６８は、図２５に示すように冷凍ダンパ駆動用モータユニット７
２がガラス管ヒータ２６のヒータ部２６ａと対向しない位置、この例では冷却室２３横の冷蔵室戻りダクト５８及び野菜室ダクト３０側に設けてあるから、冷凍ダンパ駆動用モータユニット７２に対するガラス管ヒータ２６からの輻射熱線の照射による直接的な熱影響を和らげることができる。これにより、複数の歯車等を内蔵していて精密部品となっている冷凍ダンパ駆動用モータユニット７２も極端な温度上昇を防止でき、安定した動作を保証することができる。
【０１３７】
そしてこのように冷凍ダンパ駆動用モータユニット７２がヒータ部２６ａの外方に位置する形を維持しつつ、冷凍室ダンパ６８はその冷凍ダンパ駆動用モータユニット７２が冷却室２３横に位置する冷蔵室戻りダクト５８側に位置するようにして設けてあるから、冷気を開閉する複数のフラップ７１部分が冷却器２４の中心線寄り部分に位置するようになり、冷却室２３へ戻る冷気を効率よく冷却器２４に触れさせることができるようになる。これにより、冷却器２４は冷却器自体が持つ本来の冷却性能を十二分に発揮可能となり、冷却性能を大きく向上させることができる。
【０１３８】
しかも上記冷凍室ダンパ６８はその上部（ダンパ枠体７０の上片部分）を冷却器２４の下端縁より上方に位置させ、かつ、その下部（ダンパ枠体７０の下辺６６ａ部分）が冷却器２４の下端より下方に位置する如く設けてあるから、冷却室２３へと戻る冷気は確実に冷却器２４の下端面より下方部分に流れるようにすることができる。したがって、冷気はその大部分が冷却器２４の下端面から上方へと流れるようになり、冷却器全体を有効に活用した冷却が可能となって、更にその冷却性能を向上させることができる。
【０１３９】
また、上記冷凍室ダンパ６８は冷凍室背面板３２に設けた冷却室側口枠部６６に弾着係合させてユニット化してあるから、冷凍室１８への組み込みも冷凍室背面板３２を装着することによって容易に行うことができ、生産性を向上させることができる。
【０１４０】
一方、前記冷凍冷気戻り口６４にはその冷凍室ダンパ６８の冷凍室１８側にグリル６７を装着して、その各グリル片６９を冷却室側端部が上方に位置するように傾斜させて設けてあるから、冷凍室容器６２を引き出した時、各グリル片６９の間からその奥に位置するガラス管ヒータ２６等が見えるのを防止でき、使用者に違和感等を与えることをなくすことができる。
【０１４１】
また、上記グリル６７のグリル片６９は下方のグリル片６９ほど前後長が長くなるようにして冷凍室１８内の冷凍室容器６２後面に沿う形としてあるから、冷凍室１８内での冷気の流れをスムーズなものとすることができ、冷却性能を向上させることができる。
【０１４２】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１４３】
本発明は、冷蔵室の負荷変動の影響を受けにくく、安定して低温室内の温度を所定の温度に維持することができるので、家庭用および業務用など様々な種類および大きさの間冷式の冷蔵庫に適用することができる。
【符号の説明】
【０１４４】
１  冷蔵庫本体
２  外箱
３  内箱
４  発泡断熱材
５、６  仕切板
７、８、９、１０、１１  扉
１４  冷蔵室
１５  切替室
１６  製氷室
１７  野菜室
１７ａ  野菜室容器
１８  冷凍室
２０  棚板
２１  パーシャル室（低温室）０
２２  チルド室（低温室）
２２ａ  冷気入口
２３  冷却室
２３ａ  底面
２４  冷却器
２５  冷却ファン
２６  除霜手段（ガラス管ヒータ）
２６ａ  ヒータ部
２７  圧縮機
２８  冷蔵室ダクト
２８ａ  ダクト部材
２８ｂ  ダクトカバー
２８ｂｂ  装着部
２８ｃ  延出リブ
２８ｄ  側面吐出口
２９  冷凍室ダクト
３０  野菜室ダクト
３１  冷却室形成板
３２  冷凍室背面板
３３  第１冷気供給口
３４  第２冷気供給口
３５  ヒータカバー
３６  排水口
３７  冷蔵室ダンパ
３８  ダンパ固定枠
３９  冷蔵室用ダンパ部
４０  パーシャル室用ダンパ部
４１  冷蔵ダンパ駆動用モータユニット
４３  天井板
４４  チルド室容器
４５  冷気戻り口（チルド側）
４６  冷気戻り通路部（チルド側）
４７  チルド室扉兼把手部
４８  開口部
４９  温度調節用ヒータ
５０  天井板部材
５１  パーシャル室扉
５２  パーシャル室容器
５３  断熱材
５４  パーシャル冷気通路
５５  冷気戻り口（パーシャル側）
５６  冷気戻り通路部（パーシャル側）
５７  冷気合流戻り口
５８  冷蔵室戻りダクト
５８ａ、５８ｂ  凹状溝
５９  冷蔵室温度センサ
６０  パーシャル室温度センサ
６１  脱臭ユニット
６２  冷凍室容器
６２ａ  下段容器
６２ｂ  上段容器
６３  冷気吹出し口
６４  冷凍冷気戻り口
６５  冷凍室側口枠部
６６  冷却室側口枠部
６６ａ  下辺
６６ｂ  間隙部分
６７  グリル
６８  冷凍室ダンパ
６９  グリル片
７０  ダンパ枠体
７１  フラップ
７２  冷凍ダンパ駆動用モータユニット
７３  爪片
７４  開口
７５  野菜室ダンパ
７５ａ  ダンパ片
７６  野菜ダンパ駆動用モータユニット
７７  遮熱板
【図１】
2017215119.tif 000003
【図２】
2017215119.tif 000004
【図３】
2017215119.tif 000005
【図４】
2017215119.tif 000006
【図５】
2017215119.tif 000007
【図６】
2017215119.tif 000008
【図７】
2017215119.tif 000009
【図８】
2017215119.tif 000010
【図９】
2017215119.tif 000011
【図１０】
2017215119.tif 000012
【図１１】
2017215119.tif 000013
【図１２】
2017215119.tif 000014
【図１３】
2017215119.tif 000015
【図１４ａ】
2017215119.tif 000016
【図１４ｂ】
2017215119.tif 000017
【図１４ｃ】
2017215119.tif 000018
【図１４ｄ】
2017215119.tif 000019
【図１５】
2017215119.tif 000020
【図１６】
2017215119.tif 000021
【図１７】
2017215119.tif 000022
【図１８】
2017215119.tif 000023
【図１９】
2017215119.tif 000024
【図２０】
2017215119.tif 000025
【図２１】
2017215119.tif 000026
【図２２】
2017215119.tif 000027
【図２３】
2017215119.tif 000028
【図２４】
2017215119.tif 000029
【図２５】
2017215119.tif 000030
【図２６】
2017215119.tif 000031
【図２７】
2017215119.tif 000032
【図２８】
2017215119.tif 000033
【図２９】
2017215119.tif 000034
【図３０】
2017215119.tif 000035
【図３１】
2017215119.tif 000036